(57)【特許請求の範囲】
【請求項１】
遊技盤面の入賞口に開閉自在に設けられる入賞口扉と、該入賞口扉を開閉駆動するための開閉駆動源を設けると共に、該開閉駆動源による該入賞口扉の開放方向への作用に抗して該入賞口扉を閉鎖方向に附勢する第一附勢手段と、該第一附勢手段による該入賞口扉の閉鎖方向への作用に抗して該入賞口扉を開放方向に附勢する第二附勢手段とを設けたことを特徴とするパチンコ遊技機の入賞装置。
【請求項２】
遊技盤面の入賞口に開閉自在に設けられる入賞口扉と、該入賞口扉を開閉駆動する開閉駆動源とを設けると共に、該開閉駆動源による入賞口扉の開放方向への作用に抗して入賞口扉を閉鎖方向に附勢する第一附勢手段を前記開閉駆動源に設ける一方、該第一附勢手段による該入賞口扉の閉鎖方向への作用に抗して該入賞口扉を開放方向に附勢する第二附勢手段とを設け、前記第一附勢手段と第二附勢手段とを非連繋状態とし、該開閉駆動源に対して入賞口扉の開閉位置に係わらず附勢手段による附勢作用を初期状態に復帰させるように構成したことを特徴とするパチンコ遊技機の入賞装置。
【発明の詳細な説明】
【０００１】
【発明の属する技術分野】
本発明は、パチンコ遊技機に関し、更に詳しくは、パチンコ遊技機の遊技盤面に設けられ、特別な遊技状態が生じた時に遊技球の入賞が可能なように開閉駆動される入賞装置に関するものである。
【０００２】
【従来の技術】
パチンコ遊技機の遊技盤面には、各種の入賞装置が設けられている。例えば、昨今においては、遊技盤面に普通図柄表示装置や特別図柄表示装置といった複数の図柄表示装置が設けられ、遊技盤面のゲート（又は入賞口）を遊技球が通過すると普通図柄表示装置が図柄変動を開始し、その停止図柄が「当たり」図柄であると遊技盤面の普通電動役物である第一種始動入賞装置が短時間開放される。そして、前記開放の間に遊技球が入賞すると特別図柄表示装置が図柄変動を開始し、停止図柄が「大当たり」図柄であると、今度は遊技盤面の特別電動役物である大入賞装置が長時間の開放状態を何回か繰り返し、その間に数多くの遊技球の入賞によって多量の賞品球を獲得することができるといったものもある。
【０００３】
このようなパチンコ遊技機において、入賞装置の開閉駆動はソレノイドによって行われるものが一般的である。例えば、大入賞装置は、大入賞口に開閉自在に設けられる入賞口扉に、この入賞口扉を開閉駆動させるソレノイドのアクチュエータ（プランジャ）を直接連結させるか、リンク機構を介して連結させている。そして、このような入賞装置によれば、ソレノイドの駆動によって速やかに入賞口扉が開放され、あるいは閉鎖させるためのタイミング的な制御が行い易いという利点がある。
【０００４】
【発明が解決しようとする課題】
しかしながら、このような従来の入賞装置は、ソレノイドと大入賞口の入賞口扉とを一体的に連結させているために、ソレノイドの駆動による入賞口扉の開放動作時に遊技球が入賞口扉とその前面に位置するガラス扉との間に挟まって入賞口扉の開放を妨げたり、あるいは入賞口扉と入賞口の縁との間に遊技球が挟まって、入賞口扉が閉じるのを妨げたりすることがある。
【０００５】
そしてこのように入賞口扉の開閉動作時に遊技球の噛み込み等があると、ソレノイドが飽和状態となったときに誤作動を起こすことがあった。これでは遊技者は折角多量の賞品球が得られる機会が与えられても、入賞口扉が充分に開閉されない状態となったために、
その機会を逸することとなる。また、このような遊技球の噛み込み状態が頻繁に起きると、遊技者は遊技トラブルの多発によりゲームに対して興ざめし、ついには遊技場ホールから足が遠のくことになってしまう。
【０００６】
本発明の解決しようとする課題は、パチンコ遊技機の遊技盤面に設けられる大入賞装置などの入賞口扉の開閉動作が確実になされることはもとより、万が一、入賞口扉と前面ガラス板との間などに遊技球の噛み込み等が生じた時には、速やかにその状態が解消されるようにした入賞装置を提供することにある。
【０００７】
【課題を解決するための手段】
この課題を解決するために本発明の請求項１に記載の入賞装置は、遊技盤面の入賞口に開閉自在に設けられる入賞口扉と、該入賞口扉を開閉駆動するための開閉駆動源を設けると共に、該開閉駆動源による該入賞口扉の開放方向への作用に抗して該入賞口扉を閉鎖方向に附勢する第一附勢手段と、該第一附勢手段による該入賞口扉の閉鎖方向への作用に抗して該入賞口扉を開放方向に附勢する第二附勢手段とを設けたことを要旨とする。このような構成とすることにより入賞口扉の開閉動作を速やか且つ確実に実施することが可能となり、賞品球の払出しに直結する入賞口扉の開閉動作に係るトラブルを未然に防止できることが期待できる。
【０００８】
そしてまた、請求項２に記載のように遊技盤面の入賞口に開閉自在に設けられる入賞口扉と、該入賞口扉を開閉駆動する開閉駆動源とを設けると共に、該開閉駆動源による入賞口扉の開放方向への作用に抗して入賞口扉を閉鎖方向に附勢する第一附勢手段を前記開閉駆動源に設ける一方、該第一附勢手段による該入賞口扉の閉鎖方向への作用に抗して該入賞口扉を開放方向に附勢する第二附勢手段とを設け、前記第一附勢手段と第二附勢手段とを非連繋状態とし、該開閉駆動源に対して入賞口扉の開閉位置に係わらず附勢手段による附勢作用を初期状態に復帰させるようにすれば、仮に何れか一方に誤作動やトラブルが生じても、一方には影響を与えることなく初期状態に復帰することが可能となり、効率的な動作が実施できる。
【０００９】
【発明の実施の形態】
以下、本発明の好適な一実施の形態を図面を参照して詳しく説明する。
図１は、本実施形態に係るパチンコ遊技機の遊技盤面を示したものである。図示するように、遊技盤１０の遊技領域中央部に設けられる特別図柄表示装置２は、その表示画面２ｆの上半分に各々個別に変動可能な左図柄表示部２ａ、右図柄表示部２ｂ、中図柄表示部２ｃが設けられ、下半分領域には各種のキャラクタ等の絵柄が表示される図柄表示領域２ｄが設けられる。そして、前記特別図柄表示装置２の周囲を囲む装飾枠体４の上部左側位置には、７セグメントデジタル表示でもって数字や記号等の図柄が表示される普通図柄表示装置６が設けられる。尚、この実施例では「０」〜「９」までの数字が可変設定されるようになっている。
【００１０】
また、前記特別図柄表示装置２の真下位置には、遊技盤１０面を転動する遊技球の落入により特別図柄表示装置２の各図柄表示部２ａ、２ｂ、２ｃの図柄変動を起動させる始動入賞装置１４が設けられる。この始動入賞装置１４は、前記普通図柄表示装置６に所定の図柄が表示された場合に開閉動作を行う左右の可動翼片１４ａ、１４ａを有する普通電動役物である。
【００１１】
そして遊技盤１０面には、遊技球の落入（通過）により前記普通図柄表示装置６の図柄変動を起動させる左ゲート２０及び右ゲート２１が各々設けられる。又、前記始動入賞装置１４の下方位置には、通常は閉じており前記特別図柄表示装置２の各図柄表示部２ａ、２ｂ、２ｃの表示図柄の組み合わせが特定の図柄表示態様と一致した時に開放される特別電動役物である大入賞装置１６が設けられ、その内側には、大入賞装置１６が開放された時に入賞可能となる特定領域入賞口１８が設けられる。この特定領域入賞口１８は、大入賞装置１６が開放されている間に遊技球が入賞することにより、大入賞装置１６を所定の回数まで繰り返し開閉させるためのものである。
【００１２】
ちなみに次の表１（ａ）（ｂ）には、特別図柄表示装置２の「大当たり」図柄の表示態様を示す。  この表１（ａ）に示す通常図柄（非特定図柄）と、表１（ｂ）に示す特定図柄の場合とでは、その後の遊技状況が異なり、表１（ａ）に示した通常図柄（非特定図柄）の組合わせでもって「大当たり」が発生した場合は、次回の特別図柄表示装置２に係る抽選確率２段階の確率のうち低確率が設定され、各図柄表示部２ａ，２ｂ，２ｃの図柄変動時間には７．７秒間、始動入賞装置１４の可動翼片１４ａ，１４ａの開放時間は０．３秒間が各々設定される。
【００１３】
また、表１（ｂ）に示した特定図柄の組合わせでもって「大当たり」が発生した場合は、次回の特別図柄表示装置２の抽選確率は高確率に移行するようになっている。そして、
この移行に伴って各図柄表示部２ａ，２ｂ，２ｃの図柄変動時間は７．７秒間から５．２秒間に短縮され、「大当たり」発生の抽選の機会が高められると共に、前記始動入賞装置１４の可動翼片１４ａの開放時間が０．３秒間から４．５秒間に延長され、始動入賞装置１４への遊技球の落入の機会も高められるようになっている。
【００１４】
【表１】
0003791881.tif 000002
【００１５】
また、前記普通図柄表示装置６に表示される「当たり」図柄は「１」「３」「５」「７」「９」の５種類であり、普通図柄表示装置６に「当たり」図柄が表示された時には、前記始動入賞装置１４の可動翼片１４ａ、１４ａが前述のように、低確率の時には０．３秒間、また高確率の時には４．５秒間開放されることとなる。
【００１６】
そして、前記左右ゲート２０，２１を通過した遊技球数はカウントされ、前記装飾枠体４に設けられる普通図柄用記憶表示ＬＥＤ８に最大４個まで記憶されてランプの点灯でもって表示される。前記普通図柄表示装置６は、この記憶個数分の図柄変動が繰り返されるようになっている。又、前記始動入賞装置１４に入賞した遊技球数もカウントされ、これも前記装飾枠体４に設けられる特別図柄用記憶表示ＬＥＤ１２に最大４個まで記憶されてランプの点灯でもって表示され、特別図柄表示装置２は、この記憶個数分の図柄変動が繰り返されるようになっている。
【００１７】
その他遊技盤１０面の下方位置には、普通入賞口である左袖入賞口２２及び右袖入賞口２３、更に左落し入賞口２４、右落し入賞口２５が各々設けられる。これらの普通入賞口に遊技球が落入すると、右袖入賞口２３においては８個、左袖入賞口２２及び左右落し入賞口２４，２５においては６個、又、前記始動入賞装置１４においては６個、大入賞装置１６及び特定領域入賞口１８においては１５個の賞品球（以下「賞球」という）が各々払出されるようになっている。
【００１８】
尚、前記特別図柄表示装置２の周囲を囲む装飾枠体４の左右壁面には、前記遊技盤１０面を転動する遊技球が該装飾枠体４の内側へ転入可能なようになっており、また該装飾枠体４の枠内底面は中央がへこんだ穏やかな傾斜が設けられ、その中央部に運ばれた遊技球は、再度遊技盤１０面に流落されるようになっている。更に前記装飾枠体４の枠内底面の奥側には、キャラクタ等を立体表示した装飾部材５が遊技状況等に関連なく駆動用モータの駆動に伴って一定周期で上下運動を繰り返すようになっている。
【００１９】
また、遊技盤１０面には、前述したように各種の入賞口等が設けられるが、これらの他にも釘部材や遊技球の流下速度及び落下方向を無作為に変化させる風車２６，２６等が設けられる。更に遊技盤１０面の周囲やその内部には、これも図示しない飾りランプ等が多数設けられ、点灯点滅することによって遊技機を彩るように構成される。そして、前記遊技盤１０面の最下部には球排出口２７が設けられ、何れの入賞口等にも落入しなかった遊技球は、この球排出口２７から遊技盤１０面外へ排出されるようになっている。
【００２０】
図２は、遊技盤１０の裏面における入賞球の流出経路及び各種スイッチ類やソレノイド類等の配置状態を示した図である。図示されるように、始動入賞装置１４、左落し入賞口２４、左袖入賞口２２に入賞した入賞球は、傾斜板状の入賞球集合路（入賞球集合板）４０上に落下し、その傾斜下端位置に設けられる傾斜板状の入賞球誘導路（入賞球誘導板）４２を介して入賞球（セーフ球）排出機構部８５へと誘導される。また、大入賞装置１６、特定領域入賞口１８、右落し入賞口２５、右袖入賞口２３に入賞した入賞球は、直接入賞球誘導路４２上に落下し、入賞球排出機構部８５へ誘導されるようになっている。
【００２１】
前記始動入賞装置１４における入賞球の流出経路には、その入賞を検知する始動口用検出スイッチ４４が設けられる。また、前記大入賞装置１６における入賞球の流出経路には、その入賞球数をカウントするカウント用スイッチ４６が設けられ、前記特定領域入賞口１８における入賞球の流出経路には、その入賞を検知する特定領域用スイッチ４８が設けられる。更に前記左右ゲート２０，２１における遊技球の通路経路には、その入球を検知する左ゲート用スイッチ５１及び右ゲート用スイッチ５２が設けられる。
【００２２】
そして、前記始動口用検出スイッチ４４の検出信号により、前記始動入賞装置１４への入賞が検知されると、既述したように特別図柄表示装置２の各図柄表示部２ａ，２ｂ，２ｃが図柄変動を開始する。そして、各図柄表示部２ａ，２ｂ，２ｃの停止図柄が「大当たり」の条件を満たす場合には前記大入賞装置１６が開放されるが、該大入賞装置１６が開放状態である場合に前記カウント用スイッチ４６の検出信号により１０個の入賞球が検知されると、１回の開口動作の制限時間内であっても該大入賞装置１６は閉じられる。そして、この開放中に特定領域用スイッチ４８の検出信号により特定領域入賞口１８への入賞が検知された場合には、大入賞装置１６は所定の時間経過後再び開放され、これらの作動が繰り返されることになる。
【００２３】
また、左右ゲート用スイッチ５１，５２からの検出信号があれば、既述したように普通図柄表示装置６が駆動される。更に遊技盤１０の裏面には、始動入賞装置１４を開閉動作させる始動入賞口開放用ソレノイド５４や、大入賞装置１６の前面に設けられる入賞口扉を開閉動作させる大入賞口開放用ソレノイド５５、特定領域入賞口１８を開閉動作させる特定領域開放用ソレノイド５６が各々設けられる。尚、装飾枠体４の内側下部に設けられた装飾部材５を上下動作するための装飾部材用モータ５７も設けられる。
【００２４】
一方、前記右袖入賞口２３における入賞球の流出経路には入賞検出用スイッチ６０が設けられ、この検出スイッチ６０の検知信号に基づいて図示しない賞品球払出機構により８個の賞球が払出される。また、前記始動口用検出スイッチ４４の検出信号からの検知信号に基づいて、賞品球払出機構より６個の賞球が払出される。更に、前記大入賞装置１６に設けられるカウント用スイッチ４６、或いは特定領域入賞口１８に設けられる特定領域用スイッチ４８から検出信号があれば、賞品球払出機構より１５個の賞球が払出されるようになっている。
【００２５】
なお、前記左右落し入賞口２４，２５及び左袖入賞口２２における入賞球の流路には入賞球検出用のスイッチは設けられていないが、前記セーフ球排出機構部８５に設けられるセーフ球検出スイッチ６３により入賞球（セーフ球）の合計個数がカウントされるので、そのカウント数から前記カウント用スイッチ４６、特定領域用スイッチ４８及びセーフ球検出スイッチ６３からの検出信号のカウント数を引いた個数差分に対比して６個ずつの賞球が払出されるようになっている。
【００２６】
即ち、セーフ球排出機構部８５のセーフ球排出樋６２を流下する入賞球は、セーフ球排出樋６２の途中に設置されたセーフ球検出スイッチ６３によってその通過が検知され、この検知を受けてセーフ球排出ソレノイド６４が作動する。この作動によりセーフ球排出樋６２内に貯留されている入賞球が１個ずつ通過するが、その際にカウント用スイッチ４６、特定領域用スイッチ４８、入賞検出用スイッチ６０からの入賞信号がなければ、各々６個の賞球が払出される。
【００２７】
図３は、各種制御基板及びスイッチ類やソレノイド類等の接続を示す制御ブロック図である。図示するように、主制御基板７０は中継基板７２及びＣＲ外部接続端子基板７４、ＣＲ賞球払出制御基板７６と直接接続され、該ＣＲ賞球払出制御基板７６には、前記セーフ球排出機構部８５に設けられるセーフ球検出スイッチ６３等が接続される。そして、前記セーフ球検出スイッチ６３によって遊技球の通過が検知されると、その検知信号はＣＲ賞球払出制御基板７６を介して主制御基板７０に出力されて制御処理される。
【００２８】
前記ＣＲ外部接続端子基板７４は、特別図柄表示装置２の「大当たり」の発生回数や各種入賞装置の始動回数、出球情報等を遊技場の管理装置へ出力する等の機能を有する。又、ＣＲ賞球払出制御基板７６は、発生したセーフ球の種別に応じて、一定個数の賞球を図示しない賞品球払出機構部に払出し動作を行わせる等の機能を有する。
【００２９】
前記主制御基板７０には、特別図柄表示装置２及び普通図柄表示装置６に係る制御を行う図柄表示装置基板８２が接続され、更に中継基板７２を介して大入賞装置１６に係る制御を行う大入賞装置基板１６ａが接続される。この大入賞装置基板１６ａには、前述したカウント用スイッチ４６、特定領域用スイッチ４８が接続されると共に、大入賞口開放用ソレノイド５５、特定領域開放用ソレノイド５６が各々接続され、これらは所定の遊技状況に応じて制御処理される。
【００３０】
また、前記主制御基板７０には各種のスイッチ類が直接接続される。例えば、前記左右ゲート２０，２１における遊技球の通過を検知する左右ゲート用スイッチ５１，５２、始動入賞装置１４における遊技球の通過を検知する始動口用検出スイッチ４４及び始動入賞口開放用ソレノイド５４が各々接続される。これにより、前記主制御基板７０は各々のスイッチから受信する検知信号を基に遊技状況に応じた動作を設定制御することができるようになっている。尚、本遊技機には上記説明した以外にも各種制御基板や検出スイッチ、ソレノイド等が接続されているが、その図示及び説明については割愛する。
【００３１】
図４は、本遊技機における遊技内容の制御フローチャートを示している。この遊技機では、遊技者によって遊技盤１０面に向けて発射された遊技球が左右ゲート２０，２１の何れかを通過したことが左右ゲート用スイッチ５１，５２により検知される（Ｓ１０「ＹＥＳ」）と、その信号に基づいて普通図柄表示装置６が図柄変動を開始する（Ｓ１２）。この普通図柄表示装置６は図柄変動を開始してから６．０秒を経過すると図柄変動を停止し、図柄が確定する（Ｓ２４）。この確定図柄のうち、いわゆる「当たり」と称される図柄（例えば、１，３，５，７，９の何れか）が表示されれば（Ｓ２６「ＹＥＳ」）、主制御基板７０からの指令信号により遊技盤１０面の始動入賞装置１４が開放される（Ｓ２８）。
【００３２】
そして、この開放された始動入賞装置１４に遊技球が入賞する（Ｓ３０「ＹＥＳ」）と、始動口用検出スイッチ４４からの検出信号に基づき特別図柄表示装置２の各図柄表示部が左図柄表示部２ａ、右図柄表示部２ｂ、中図柄表示部２ｃ、の順に図柄変動を開始（Ｓ３２）し、所定時間経過後、左図柄表示部２ａ、右図柄表示部２ｂ、中図柄表示部２ｃの順に図柄変動を停止する（Ｓ４０）。
【００３３】
この特別図柄表示装置２の各図柄表示部２ａ，２ｂ，２ｃに表示される図柄の組合せが「大当たり」図柄である場合（Ｓ４２「ＹＥＳ」）は、大入賞装置１６の連続開放作動回数は最大１６回に設定され、大入賞装置１６は開放動作を最大１６回繰り返すと共にパチンコ遊技機の遊技盤１０面に設けられた図示しない装飾ランプ（ＬＥＤ）が点滅して、大当たり動作時用に設けられた音声がスピーカから発せられる（Ｓ４３）。
【００３４】
そして、前記「大当たり」図柄の組合せが特定図柄の場合には（Ｓ４４「ＹＥＳ」）、大当たり抽選確率を高確率に設定して（Ｓ４８）終了する。但し前記「大当たり」図柄の組合せが特定図柄ではなく、通常図柄の場合には（Ｓ４４「ＮＯ」）、大当たりの抽選確率を低確率に設定して（Ｓ５０）終了する。
【００３５】
一方、Ｓ１０において遊技盤１０面に向けて発射された遊技球が、ゲート２０，２１を通過しなかった（Ｓ１０「ＮＯ」）が、遊技盤１０面に設けられる何れかの入賞口２２，２３，２４，２５に入賞する（Ｓ１６「ＹＥＳ」）か、或いは左右ゲート２０，２１を通過した後に前記何れかの入賞口に入賞した場合には、入賞検出用スイッチ６０、或いはセーフ球検出スイッチ６３からの検知信号に基づき入賞球１個につき６個又は８個の賞球が払出される。（Ｓ１８）。尚、前記何れの入賞口にも入賞しかった場合は「はずれ」として処理される。（Ｓ２０）。また、Ｓ４２において特別図柄表示装置２の変動図柄の確定により「大当たり」図柄が表示されなかった場合（Ｓ４２「ＮＯ」）も「はずれ」として処理される（Ｓ４６）。
【００３６】
次に、このようなパチンコ遊技機において、例えば、前記大入賞装置１６の開閉機構の詳細な構成を図５乃至図７に示して説明する。
【００３７】
前記大入賞装置１６は、大入賞口１００を開閉する入賞口扉１０２が該大入賞口１００の下端縁寄り位置に設けられる支軸１０４に枢着され、遊技盤１０面の前面に設けられるガラス板１０６側に向けて傾動可能に設けられている。
【００３８】
そして、前記入賞口扉１０２を開閉駆動させる大入賞口開放用ソレノイド５５のプランジャ１０８にはバネ部材１１０が介在され、該プランジャ１０８の下端位置には、前記入賞口扉１０２と大入賞口開放用ソレノイド５５とを連繋させる可動部材１１２が設けられる。この可動部材１１２の基端部は、バネ部材１１４の付勢力によって上下動自在に配置されることから、該プランジャ１０８の先端部に当接離間自在に配置されている。
【００３９】
また、前記可動部材１１２の先端部は二股状となっており、その二股部１１６が前記入賞口扉１０２に突設される係留ピン１１８に係留される。そして、前記大入賞口開放用ソレノイド５５が「ＯＦＦ」状態では、該可動部材１１２がバネ部材１１０に押し下げられて入賞口扉１０２が閉じられた状態となり、該ソレノイド５５が駆動された時（「ＯＮ」状態）には、プランジャ１０８の収縮動により該可動部材１１２がバネ部材１１４に押し上げられて入賞口扉１０２が開放されるように構成されている。
【００４０】
そして更に、前記入賞口扉１０２の下端部分には該入賞口扉１０２が傾動した時に一体的に動く感知片（感知部材）１２０が設けられると共に、該感知片１２０が入賞口扉１０２の開放により動いた時にこれを感知する感知センサ１２２が大入賞口１００の内側に設けられている。この感知センサ１２２は、一般的に光センサが用いられ、発光源と受光素子との間を感知片１２０がさえ切ると発光源からの光が受光素子により感知されない状態となり、前記入賞口扉１０２の開放状態が感知されるように構成される。尚、この感知センサ１２２からの信号も、前記図３の制御ブロック図において主制御基板７０へ出力されるようになっている。
【００４１】
このように構成された大入賞装置１６によれば、今、遊技盤１０面の遊技状況において特別図柄表示装置２に「大当たり」図柄が表示され、「大当たり」が発生したとする。そうすると、主制御基板７０からの指令信号により大入賞口開放用ソレノイド５５が駆動されてプランジャ１０８がバネ部材１１０の付勢力に抗して収縮し、それに伴いバネ部材１１４の付勢力により可動部材１１２が押し上げられる。そのとき、可動部材１１２の先端部分の二股部１１６が入賞口扉１０２に突設される係留ピン１１８に係留されているために、該入賞口扉１０２が図６（ａ）中に矢示したように支軸１０４を中心に遊技盤１０の前面側へ傾動し、大入賞口１００が開放される。
【００４２】
そしてこの時、入賞口扉１０２に設けられる感知片１２０が入賞口扉１０２の傾動に連動して傾動し、図６（ｂ）に示したように、この感知片１２０の動きが感知センサ１２２により検知されることにより入賞口扉１０２が開放されたことが検知される。この感知センサ１２２による検知信号は主制御基板７０へ出力され、主制御基板７０では、その入力信号に基づいて大入賞装置１６が正常に作動していることを把握することとなる。
【００４３】
逆に、大入賞口１００に遊技球が１０個入賞したこと、あるいは特定領域入賞口１８に遊技球が入ったこと等がカウント用スイッチ４６、特定領域用スイッチ４８からの検知信号により検知されると、主制御基板７０から大入賞口開放用ソレノイド５５への指令信号により大入賞口１００が閉じられるが、そのときには大入賞口開放用ソレノイド５５の「ＯＦＦ」信号によりプランジャ１０８の収縮力が解除されて、バネ部材１１０の付勢力によりプランジャ１０８が伸長し、その付勢力によって可動部材１１２を押し下げる。これにより、前記可動部材１１２の二股部１１６が係留される入賞口扉１０２は、図６（ｂ）中に矢示したように支軸１０４を中心に回動し大入賞口１００は閉じられる。
【００４４】
そして図７は、入賞口扉１０２が開こうとした時に、その入賞口扉１０２と前面ガラス板１０６との間に遊技球が挟まって、いわゆる噛み込みが生じた時の状態を示したものである。図７の場合には大入賞口開放用ソレノイド５５の駆動信号によりプランジャ１０８がバネ部材１１０の付勢力に抗して収縮し、更にバネ部材１１４の付勢力により可動部材１１２が押し上げられる。ここで可動部材１１２の先端部分の二股部１１６は入賞口扉１０２に突設される係留ピン１１８に係留されているために、入賞口扉１０２は、支軸１０４を中心に遊技盤１０の前面側へ傾動しようとするが、そのとき入賞口扉１０２とガラス板１０６との間の遊技球の噛み込みによって入賞口扉１０２は充分に遊技盤１０の前面側へ傾動できず、いわゆる半開きの状態となる。
【００４５】
そこで、この場合には入賞口扉１０２を一旦閉じさせて入賞口扉１０２とガラス板１０６との間に挟まった遊技球を落下させ、再度入賞口扉１０２の開放動作をやり直させるものである。
【００４６】
図８は、その制御フローチャートを示したものである。このフローチャートでは、特別図柄表示装置２に「大当たり」状態が発生した時（Ｓ６０［ＹＥＳ」）に、主制御基板７０からの指令信号により大入賞口開放用ソレノイド５５が駆動される（Ｓ６２）。これにより、通常は入賞口扉１０２が完全に開放され、感知片１２０が感知センサ１２２に感知されれば（Ｓ６４「ＹＥＳ」）、入賞口扉１０２は完全に開放されたと判断される。
【００４７】
一方、大入賞口開放用ソレノイド５５が駆動されているにも拘わらず、入賞口扉１０２に設けられる感知片１２０が感知センサ１２２により感知されていない（Ｓ６４［ＮＯ」）と判断されれば、大入賞口開放用ソレノイド５５は、一旦「ＯＦＦ」され（Ｓ６６）、Ｓ６２へ戻って再び駆動される。この大入賞口開放用ソレノイド５５が一旦「ＯＦＦ」された時には、入賞口扉１０２とガラス板１０６との間に挟まった遊技球が落下し、大入賞口開放用ソレノイド５５が再び駆動された時に入賞口扉１０２が完全に開放された状態となるものである。
【００４８】
従って遊技者は、特別図柄表示装置２が「大当たり」状態となって多量の賞球を獲得できるチャンスが得られたにも拘わらず、入賞口扉１０２が開放動作時に充分開放されず、まごまごしている間に大入賞口１００内部に設けられる特定領域入賞口１８にも遊技球が入賞することなく所定の時間が経過して「大当たり」状態が途中で終了してしまうといったことが回避される。これにより、遊技者にとっては充分な賞球数が獲得できなかったという不測の不利益が生じることから開放され、また遊技者と遊技場側との遊技上に関るトラブルも解消されることになる。
【００４９】
また、図８のフローチャートにおいて、特別図柄表示装置２に「大当たり」状態が発生していない（Ｓ６０［ＮＯ」）にも拘わらず、入賞口扉１０２が開いてそこに遊技球が落入することにより噛み込みが生じた時などには、その入賞口扉１０２の感知片１２０が感知センサ１２２により検知され（Ｓ６８［ＹＥＳ］）エラー信号が出力される（Ｓ７０）。このエラー信号を報知された遊技場側では、このトラブル状態の発生を即座に察知し、速やかに対処できることとなる。
【００５０】
本発明は、上記した実施の状態に何ら限定されるものではなく、本発明の趣旨を逸脱しない範囲で種々の改変が可能である。例えば、上記実施の形態において、入賞口扉と大入賞口開放ソレノイドとの間に介設される可動部材は、要するに大入賞口開放用ソレノイドのプランジャに一体的に固定されていなければよく、それにより感知片が感知センサによって検知されたり、検知されなかったりすることにより遊技球の噛み込みを確実に検知できることになるものである。この感知片や感知センサの構成は各種のものが考えられることは言うまでもない。
【００５１】
また、上記実施例においては遊技盤面に対して前面方向に開放する大入賞口に関して説明したが、水平方向に開閉動作する可動羽根式入賞口いわゆる第二種パチンコ遊技機に設けられる大入賞口や、その他の遊技機に設けられる入賞装置に対して設ける構成としてもよい事は勿論である。
【発明の効果】
【００５２】
本発明の請求項１および２に記載の入賞装置によれば、遊技盤面の入賞口に開閉自在に設けられる入賞口扉と、該入賞扉を開閉駆動する開閉駆動源とを設けると共に、この開閉駆動源による入賞口扉の開放方向への作用に抗して入賞口扉を閉鎖方向に附勢する第一附勢手段と、この第一附勢手段による入賞口扉の閉鎖方向の作用に抗して該入賞口扉を開放方向に附勢する第二附勢手段とを設ける構成として、あるいは遊技盤面の入賞口に開閉自在に設けられる入賞口扉と、該入賞口扉を開閉駆動する開閉駆動源とを設けると共に、該開閉駆動源の入賞口扉の開放方向への作用に抗して入賞口扉を閉鎖方向に附勢する第一附勢手段を開閉駆動源に設ける一方、この第一附勢手段の入賞口扉の閉鎖方向への作用に抗して該入賞口扉を開放方向に附勢する第二附勢手段とを設け、前記第一附勢手段と第二附勢手段とを非連係状態とし、該開閉駆動源に対して入賞口扉の開閉位置に係わらず附勢手段による附勢作用を初期状態に復帰させるように構成して、球詰まり若しくは球噛み時に開閉駆動源（ソレノイド）が飽和状態にオン状態となりつづけ異常に加熱されることが防止される効果を有するものである。
【図面の簡単な説明】
【図１】  本発明の一実施の形態に係るパチンコ遊技機の遊技盤面を示した正面図である。
【図２】  遊技盤の裏面における入賞球（セーフ球）の流出経路及び各種スイッチ類やソレノイド類等の配置状態を示した図である。
【図３】  本実施形態における各種制御基板やスイッチ類、あるいはソレノイド類等の接続を示す制御ブロック図である。
【図４】  本遊技機における遊技内容の制御フローチャートである。
【図５】  本実施形態における大入賞装置の正面図である。
【図６】  本実施形態における大入賞装置の断面図で、（ａ）は入賞口扉が閉じている状態、（ｂ）は入賞口扉が開放されている状態を示した図である。
【図７】  大入賞装置の入賞口扉と前面ガラス板との間に遊技球の噛み込みが生じた状態を示した説明図である。
【図８】  大入賞装置に遊技球の噛み込み状態を生じた時の制御フローチャートである。
【符号の説明】
２     特別図柄表示装置
１０    遊技盤
１４    始動入賞装置
１６    大入賞装置
５５    大入賞口開放用ソレノイド
７０    主制御基板
１００    大入賞口
１０２    入賞口扉
１１２    可動部材
１２０    感知片
１２２    感知センサ
【図１】
0003791881.tif 000003
【図２】
0003791881.tif 000004
【図３】
0003791881.tif 000005
【図４】
0003791881.tif 000006
【図５】
0003791881.tif 000007
【図６】
0003791881.tif 000008
【図７】
0003791881.tif 000009
【図８】
0003791881.tif 000010